【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
所定の記憶媒体にアクセス可能で、前記記憶媒体中に格納された画像を印刷すると共に、画像表示出力手段を備える印刷装置であって、
少なくとも、日時の絞り込み指示、上下左右方向の方向指示、決定指示を入力するための操作入力手段と、
該操作入力手段による絞り込み指示が入力された場合、前記記憶媒体に格納された画像データの格納日付範囲を指定するため、前記日付範囲の開始日と終了日を入力するための操作画面情報を前記画像表示出力手段に出力する表示制御手段と、
前記操作入力手段の上下方向の指示入力により、いずれか一方の日付を変更対象として決定し、左右方向の指示入力により変更対象となった日付情報を前後に変更する日付範囲変更手段と、
前記日付範囲変更手段で日付範囲の変更を終了したことを示す前記操作入力手段による前記決定指示が入力された場合、前記日付範囲変更手段で設定された日付範囲内で格納された画像を印刷対象選択候補として決定する決定手段と
を備えることを特徴とする印刷装置。
【請求項２】
前記表示制御手段が出力する初期の操作画面情報では、初期の日付範囲の開始日を前記記憶媒体に記憶された最古の画像の格納日とし、初期の日付範囲の終了日を前記記憶媒体に記憶された最新の画像の格納日とすることを特徴とする請求項１に記載の印刷装置。
【請求項３】
前記日付範囲変更手段による変更後の日付は、前記記憶媒体に格納された画像の格納日に限定されることを特徴とする請求項１に記載の印刷装置。
【請求項４】
前記表示制御手段は、前記開始日で示される日付中の最古の画像を当該開始日の隣接する位置に表示し、前記終了日で示される日付中の最新の画像を当該終了日の隣接する位置に表示することを特徴とする請求項１に記載の印刷装置。
【請求項５】
更に、格納日が、前記開始日と終了日の期間に含まれる画像の個数を表示する画像数表示手段を備えることを特徴とする請求項１に記載の印刷装置。
【請求項６】
前記操作入力手段の指示入力には印刷開始の指示が含まれ、
前記日付範囲の開始日と終了日を入力するための操作画面を表示中に、前記印刷開始の指示が入力された場合、その時点での開始日と終了日の期間内に格納日を有する画像群のインデックスプリントを行なうインデックスプリント手段と、
前記決定手段で、開始日と終了日が決定された後に、前記印刷開始指示が入力された場合には、印刷対象選択候補の中の選択画像を１枚の記録紙に印刷するスタンダードプリント手段と
を更に備えることを特徴とする請求項１に記載の印刷装置。
【請求項７】
更に、記録紙のサイズを検出する記録紙サイズ検出手段を備え、
前記インデックスプリント手段は、前記記録紙サイズ検出手段で検出された記録紙のサイズと、インデックスプリントしようとする画像数に基づいて、インデックスプリントのレイアウトを決定し、印刷することを特徴とする請求項６に記載の印刷装置。
【請求項８】
所定の記憶媒体にアクセス可能で、前記記憶媒体中に格納された画像を印刷すると共に、画像表示出力手段、及び、少なくとも日時の絞り込み指示、上下左右方向の方向指示、決定指示を入力する操作入力手段とを備える印刷装置の制御方法であって、
前記操作入力手段による絞り込み指示が入力された場合、前記記憶媒体に格納された画像データの格納日付範囲を指定するため、前記日付範囲の開始日と終了日を入力するための操作画面情報を前記画像表示出力手段に出力する表示制御工程と、
前記操作入力手段の上下方向の指示入力により、いずれか一方の日付を変更対象として決定し、左右方向の指示入力により変更対象となった日付情報を前後に変更する日付範囲変更工程と、
前記日付範囲変更工程で日付範囲の変更を終了したこと示す前記操作部による前記決定指示が入力された場合、前記日付範囲変更工程で設定された日付範囲内で格納された画像を印刷対象選択候補として決定する決定工程と
を備えることを特徴とする印刷装置の制御方法。
【請求項９】
所定の記憶媒体にアクセス可能で、前記記憶媒体中に格納された画像を印刷すると共に、画像表示出力手段及び操作部を備える印刷装置であって、
記憶媒体がアクセス可能になった場合、前記記憶媒体に記憶されている画像ファイルの格納日時情報に基づき、各画像の順番を示す画像ファイルリスト、及び、各画像の格納日を日付順に管理する日付情報リストを作成し、日付範囲の開始日を示す第１のポインタ及び前記日付範囲の終了日を示す第２のポインタそれぞれに、前記日付情報リストの最古、最新の格納日を設定する処理手段と、
前記操作部より日付範囲絞り込み指示入力がなされた場合、前記第１、第２のポインタで示されるそれぞれの日付情報を日付範囲とする初期画面情報を前記画像表示出力手段に出力する表示制御手段と、
前記操作部より日付選択指示があった場合、表示中の開始日、終了日のいずれか一方を選択する日付選択手段と、
前記操作部より日付変更指示があった場合、選択状態の日付に対応する前記第１、第２のポインタのいずれか一方を、前記日付情報リストに基づいて変更すると共に、変更されたポインタに基づいて、選択状態の日付を更新する日付範囲更新手段と、
前記操作部より日付範囲決定指示があった場合、前記画像ファイルリスト中の、前記第１、第２のポインタで示される日付範囲にある画像を印刷対象候補として決定する決定手段と
を備えることを特徴とする印刷装置。
【請求項１０】
前記表示制御手段は、前記開始日で示される日付中の最古の画像を当該開始日の隣接する位置に表示し、前記終了日で示される日付中の最新の画像を当該終了日の隣接する位置に表示することを特徴とする請求項９に記載の印刷装置。
【請求項１１】
更に、前記日付範囲の開始日と終了日を入力するための操作画面を表示中に、前記印刷開始の指示が入力された場合、その時点での開始日と終了日の期間内に格納日を有する画像群のインデックスプリントを行なうインデックスプリント手段と、
前記決定手段で、開始日と終了日が決定された後に、前記印刷開始指示が入力された場合には、印刷対象選択候補の中の選択画像を１枚の記録紙に印刷するスタンダードプリント手段と
を備えることを特徴とする請求項９に記載の印刷装置。
【請求項１２】
更に、記録紙のサイズを検出する記録紙サイズ検出手段を備え、
前記インデックスプリント手段は、前記記録紙サイズ検出手段で検出された記録紙のサイズと、インデックスプリントしようとする画像数に基づいて、インデックスプリントのレイアウトを決定し、印刷することを特徴とする請求項１１に記載の印刷装置。
【請求項１３】
更に、格納日が前記開始日と終了日の期間に含まれる画像の個数を表示する画像数表示手段を備えることを特徴とする請求項９に記載の印刷装置。
【請求項１４】
所定の記憶媒体にアクセス可能で、前記記憶媒体中に格納された画像を印刷すると共に、画像表示出力手段及び操作部を備える印刷装置の制御方法であって、
記憶媒体がアクセス可能な状態になった場合、前記記憶媒体に記憶されている画像ファイルの格納日時情報に基づき、各画像の順番を示す画像ファイルリスト、及び、各画像の格納日を日付順に管理する日付情報リストを作成し、日付範囲の開始日を示す第１のポインタ及び前記日付範囲の終了日を示す第２のポインタそれぞれに、前記日付情報リストの最古、最新の格納日を設定する処理工程と、
前記操作部より日付範囲絞り込み指示入力がなされた場合、前記第１、第２のポインタで示されるそれぞれの日付情報を日付範囲とする初期画面情報を前記表示出力手段に出力する表示制御工程と、
前記操作部より日付選択指示があった場合、表示中の開始日、終了日のいずれか一方を選択する日付選択工程と、
前記操作部より日付変更指示があった場合、選択状態の日付に対応する前記第１、第２のポインタのいずれか一方を、前記日付情報リストに基づいて変更すると共に、変更されたポインタに基づいて、選択状態の日付を更新する日付範囲更新工程と、
前記操作部より日付範囲決定指示があった場合、前記画像ファイルリスト中の、前記第１、第２のポインタで示される日付範囲にある画像を印刷対象候補として決定する決定工程と
を備えることを特徴とする印刷装置の制御方法。
【請求項１５】
所定の記憶媒体にアクセス可能で、前記記憶媒体中に格納された画像のいずれかを印刷対象として指定すると共に、画像表示出力手段を備える印刷指示装置であって、
少なくとも、日時の絞り込み指示、上下左右方向の方向指示、決定指示を入力するための操作入力手段と、
該操作入力手段による絞り込み指示が入力された場合、前記記憶媒体に格納された画像データの格納日付範囲を指定するため、前記日付範囲の開始日と終了日を入力するための操作画面情報を前記画像表示出力手段に出力する表示制御手段と、
前記操作入力手段の指示入力により、前記開始日または前記終了日いずれか一方の日付を変更する日付範囲変更手段と、
前記日付範囲変更手段で日付範囲の変更を終了したことを示す前記操作入力手段による前記決定指示が入力された場合、前記日付範囲変更手段で設定された日付範囲内で格納された画像を印刷対象選択候補として決定する決定手段と
を備えることを特徴とする印刷指示装置。
【請求項１６】
記憶媒体中に格納された画像のいずれかを印刷対象として指定する印刷指示方法であって、
少なくとも、日時の絞り込み指示、上下左右方向の方向指示、決定指示を入力するための操作入力工程と、
該操作入力工程での操作により絞り込み指示が入力された場合、記憶媒体に格納された画像データの格納日付範囲を指定するため、前記日付範囲の開始日と終了日を入力するための操作画面情報を表示させる表示制御工程と、
前記操作入力工程での方向指示の入力により、前記開始日または前記終了日いずれか一方の日付を変更する日付範囲変更工程と、
前記日付範囲変更工程で日付範囲の変更を終了したことを示す前記操作入力工程による前記決定指示が入力された場合、前記日付範囲変更工程で設定された日付範囲内で格納された画像を印刷対象選択候補として決定する決定工程と
を備えることを特徴とする印刷指示方法。
【請求項１７】
所定の記憶媒体にアクセス可能で、前記記憶媒体中に格納された画像を印刷すると共に、画像表示出力手段を備える印刷装置であって、
少なくとも、日時の絞り込み指示、上下左右方向の方向指示、決定指示を入力するための操作入力手段と、
該操作入力手段による絞り込み指示が入力された場合、前記記憶媒体に格納された画像データの格納日付範囲を指定するため、前記日付範囲の開始日と終了日を入力するための操作画面情報を前記画像表示出力手段に出力する表示制御手段と、
前記操作入力手段の左右方向の指示入力により、いずれか一方の日付を変更対象として決定し、上下方向の指示入力により変更対象となった日付情報を前後に変更する日付範囲変更手段と、
前記日付範囲変更手段で日付範囲の変更を終了したことを示す前記操作入力手段による前記決定指示が入力された場合、前記日付範囲変更手段で設定された日付範囲内で格納された画像を印刷対象選択候補として決定する決定手段と
を備えることを特徴とする印刷装置。
【請求項１８】
所定の記憶媒体にアクセス可能で、前記記憶媒体中に格納された画像を印刷すると共に、画像表示出力手段、及び、少なくとも日時の絞り込み指示、上下左右方向の方向指示、決定指示を入力する操作入力手段とを備える印刷装置の制御方法であって、
前記操作入力手段による絞り込み指示が入力された場合、前記記憶媒体に格納された画像データの格納日付範囲を指定するため、前記日付範囲の開始日と終了日を入力するための操作画面情報を前記画像表示出力手段に出力する表示制御工程と、
前記操作入力手段の左右方向の指示入力により、いずれか一方の日付を変更対象として決定し、上下方向の指示入力により変更対象となった日付情報を前後に変更する日付範囲変更工程と、
前記日付範囲変更工程で日付範囲の変更を終了したこと示す前記操作部による前記決定指示が入力された場合、前記日付範囲変更工程で設定された日付範囲内で格納された画像を印刷対象選択候補として決定する決定工程と
を備えることを特徴とする印刷装置の制御方法。
【手続補正２】
【補正対象書類名】明細書
【補正対象項目名】００１５
【補正方法】変更
【補正の内容】
【００１５】
この課題を解決するため、例えば本発明の印刷装置は以下の構成を備える。すなわち、
所定の記憶媒体にアクセス可能で、前記記憶媒体中に格納された画像を印刷すると共に、画像表示出力手段を備える印刷装置であって、
少なくとも、日時の絞り込み指示、上下左右方向の方向指示、決定指示を入力するための操作入力手段と、
該操作入力手段による絞り込み指示が入力された場合、前記記憶媒体に格納された画像データの格納日付範囲を指定するため、前記日付範囲の開始日と終了日を入力するための操作画面情報を前記画像表示出力手段に出力する表示制御手段と、
前記操作入力手段の上下方向の指示入力により、いずれか一方の日付を変更対象として決定し、左右方向の指示入力により変更対象となった日付情報を前後に変更する日付範囲変更手段と、
前記日付範囲変更手段で日付範囲の変更を終了したことを示す前記操作入力手段による前記決定指示が入力された場合、前記日付範囲変更手段で設定された日付範囲内で格納された画像を印刷対象選択候補として決定する決定手段とを備える。